(57)【要約】【課題】商用電源の状況に応じて充電を制御することができる充電システム及び充電装置並びに充電方法。【解決手段】電力系統900と蓄電池部921とに接続された充電システムであって、蓄電池部921を充電する充電装置130と、電力系統900の電流、電圧及び高調波の少なくとも１つの情報を測定する測定部110と、測定部110で測定された少なくとも１つの情報に応じて、蓄電池部921への充電を制御するための命令を充電装置130に送信する制御装置120とを備える。【選択図】図１
2013048519.tif 000002
【特許請求の範囲】
【請求項１】
電力系統と蓄電池部とに接続された充電システムであって、  
前記蓄電池部を充電する充電装置と、
前記電力系統の電流、電圧及び高調波の少なくとも１つの情報を測定する測定部と、
前記測定部で測定された少なくとも１つの情報に応じて、前記蓄電池部への充電を制御するための命令を前記充電装置に送信する制御装置と、  
を備えることを特徴とする充電システム。
【請求項２】
前記制御装置は、前記電流が設定値を超えるとき、前記充電装置への電流を前記設定値になるまで減少させるための命令を前記充電装置に送信することを特徴とする請求項１記載の充電システム。
【請求項３】
前記充電装置に対して電力を供給する蓄電装置を備え、
前記充電装置は、前記電力系統から供給された電流と、前記蓄電装置から供給された電流とを加算した電流を、前記蓄電池部に対し供給することを特徴とする請求項１又は請求項２記載の充電システム。
【請求項４】
前記制御装置は、前記電力系統からの電流を予め設定された電流値以下に制御することを特徴とする請求項１乃至請求項３のいずれか１項記載の充電システム。
【請求項５】
前記制御装置は、時間帯毎の電気料金の価格に基づき、前記充電装置への電流を減少させるための命令を前記充電装置に送信する処理と前記蓄電装置から前記充電装置への電流供給を増加するための命令を前記蓄電装置に送信する処理との少なくとも１つを実行することを特徴とする請求項３記載の充電システム。
【請求項６】
外部からの電力削減指示を受信する通信部と、
前期制御装置は、前記通信部で受信した電力削減指示に応じて、前記充電装置への電流を減少させるための命令を前記充電装置に送信する処理と前記蓄電装置から前記充電装置への電流供給を増加するための命令を前記蓄電装置に送信する処理との少なくとも１つを実行することを特徴とする請求項３記載の充電システム。
【請求項７】
太陽光発電装置と風力発電装置との少なくとも一方を備え、
前記制御装置は、前記太陽光発電装置と前記風力発電装置との少なくとも一方に対して前記充電装置へ電力を優先して供給するように命令を送信することを特徴とする請求項５又は請求項６記載の充電システム。
【請求項８】
充電装置により蓄電池部を充電する充電ステップと、
電力系統の電流、電圧及び高調波の少なくとも１つの情報を測定する測定ステップと、
前記測定ステップで測定された少なくとも１つの情報に応じて、前記蓄電池部への充電を制御するための命令を前記充電装置に送信する制御ステップと、  
を備えることを特徴とする充電方法。
【請求項９】
前記制御ステップは、前記電流が設定値を超えるとき、前記充電装置への電流を前記設定値になるまで減少させるための命令を前記充電装置に送信することを特徴とする請求項８記載の充電方法。
【請求項１０】
蓄電池部を充電する充電装置であって、
電力系統の電流、電圧及び高調波の少なくとも１つの情報に応じて、前記蓄電池部への充電を制御するための命令を受信する通信部と、
前記通信部で受信された前記命令に従って前記蓄電池部への電流を減少させることにより適正値に制御する制御部と、  
を備えることを特徴とする充電装置。
【発明の詳細な説明】
【技術分野】
【０００１】
本発明の実施形態は、例えば電気自動車等に搭載される蓄電池を充電する充電システム及び充電装置並びに充電方法に関する。
【背景技術】
【０００２】
近年、電気自動車が普及しつつあり、この電気自動車には蓄電池が搭載されている。この蓄電池を充電する充電設備は、従来のガソリンスタンドのような充電スタンドの他に、コンビニエンスストアやショッピングモールにも配置される。
【０００３】
しかし、充電電流がかなり大きい場合には、電力会社と例えば１２０Ａの電流契約をしていたコンビニエンスストアが契約電流を増加させて例えば１５０Ａで契約しなければならない。このため、電気の基本料金が上昇することになる。従って、電気自動車の充電料金が上昇することになり、コンビニエンスストア等の経済も圧迫してしまう。
【０００４】
また、充電装置として、例えば、特許文献１に記載された技術が開示されている。この充電装置では、常時は交流電源から整流器と充電器とにより低電流の直流電力を得て、設備用蓄電池を充電しておく。電気自動車からの充電要求時には、蓄電池から充電器によって大電流の直流電力を得て、電気自動車等の蓄電池を急速充電する。このため、夜間等に蓄電池を充電できる。
【先行技術文献】
【特許文献】
【０００５】
【特許文献１】特開平５−２０７６６８号公報
【発明の概要】
【発明が解決しようとする課題】
【０００６】
しかしながら、特許文献１の充電装置では、商用電源（系統）の状況に応じて受電を制御することができなかった。例えば、電気自動車への充電電流が多大であり、需要家の契約電流を上回るような場合、需要家は電力会社との契約電流を上げなければならない。このため、電力料金の基本料金が上がり、電気自動車への充電費用が上がる。
【０００７】
また、特許文献１の充電装置では、商用系統の電力品質に応じて受電を制御することができなかった。
【０００８】
本発明の課題は、商用系統の状況に応じて充電を制御することができる充電システム及び充電装置並びに充電方法を提供することにある。
【課題を解決するための手段】
【０００９】
上記の課題を解決するために、実施形態に係る充電システムによれば、電力系統と蓄電池部とに接続された充電システムであって、前記蓄電池部を充電する充電装置と、前記電力系統の電流、電圧及び高調波の少なくとも１つの情報を測定する測定部と、前記測定部で測定された少なくとも１つの情報に応じて、前記蓄電池部への充電を制御するための命令を前記充電装置に送信する制御装置とを備えることを特徴とする。
【図面の簡単な説明】
【００１０】
【図１】第１の実施形態に係る電気自動車充電システムの構成を示すブロック図である。
【図２】第１の実施形態に係る電気自動車充電システムの制御装置の構成を示すブロック図である。
【図３】第１の実施形態に係る電気自動車充電システムの充電装置の構成を示すブロック図である。
【図４】第１の実施形態に係る電気自動車充電システムの制御装置内の制御部で実行される充電処理を示すフローチャートである。
【図５】第２の実施形態に係る電気自動車充電システムの構成を示すブロック図である。
【図６】第２の実施形態に係る電気自動車充電システムの制御装置の構成を示すブロック図である。
【図７】第２の実施形態に係る電気自動車充電システムの蓄電装置の構成を示すブロック図である。
【図８】第２の実施形態に係る電気自動車充電システムの制御装置内の制御部で実行される充電処理を示すフローチャートである。
【図９】第３の実施形態に係る電気自動車充電システムの構成を示すブロック図である。
【図１０】第３の実施形態に係る電気自動車充電システムの制御装置内の制御部で実行される充電処理を示すフローチャートである。
【図１１】第４の実施形態に係る電気自動車充電システムの構成を示すブロック図である。
【図１２】第４の実施形態に係る電気自動車充電システムの制御装置内の制御部で実行される充電処理を示すフローチャートである。
【図１３】第５の実施形態に係る電気自動車充電システムの構成を示すブロック図である。
【図１４】第５の実施形態に係る電気自動車充電システムの制御装置内の制御部で実行される充電処理を示すフローチャートである。
【発明を実施するための形態】
【００１１】
以下、本発明の実施形態の充電システム及び充電装置並びに充電方法を図面を参照しながら詳細に説明する。以下の実施形態では、充電システム及び充電装置並びに充電方法を例えば、電気自動車に適用した場合について説明する。なお、電気自動車に限らず、その蓄電池を搭載した他の負荷であっても良い。
【００１２】
（第１の実施形態）
図１は、第１の実施形態に係る電気自動車充電システムの構成を示すブロック図である。この電気自動車充電システムは、充電システム１００、商用電源９００、負荷９１０ａ，９１０ｂ、電気自動車９２０ａ，９２０ｂが電力線で接続され、商用電源（商用系統）９００から負荷９１０ａ，９１０ｂ、充電システム１００及び電気自動車９２０ａ，９２０ｂに電力が供給されるようになっている。図１において、太実線は電力供給の経路を示し、細実線は信号の経路を示している。
【００１３】
充電システム１００は、測定部１１０、制御装置１２０、充電装置１３０ａ，１３０ｂを備えている。これら各構成要件は、充電システムとして別装置に設けても良く、同一装置内に設けても良い。充電システム１００は、コンビニエンスストアやショッピングモール等の需要家に設置されている。
【００１４】
商用電源９００は、交流（ＡＣ）１００Ｖや６６００Ｖ等の電力を負荷９１０ａ，９１０ｂ、充電システム１００、及び電気自動車９２０ａ，９２０ｂに供給する。負荷９１０ａ，９１０ｂは、需要家の負荷であり、例えば、コンビニエンスストアの場合には照明器具や冷蔵庫等である。
【００１５】
測定部１１０は、商用電源９００からの電力を受けて、充電装置１３０ａ，１３０ｂに供給される電流、電圧、周波数、電圧波形の高調波等の異常波形及び高調波の基本波に対する比率、電力、電力量を測定して、これらの測定されたデータを制御装置１２０に送信する。
【００１６】
制御装置１２０は、パーソナルコンピュータやミニコンピュータ、専用機器により構成され、測定部１１０からのデータに基づき充電装置１３０ａ，１３０ｂの充電を制御する。図２は、第１の実施形態に係る電気自動車充電システムの制御装置の構成を示すブロック図である。制御装置１２０は、受信部１２１、通信部１２２、操作部１２３、制御部１２４を備えている。
【００１７】
受信部１２１は、測定部１１０からのデータを受信する。通信部１２２は、各充電装置１３０ａ，１３０ｂに命令を送信する。操作部１２３は、スイッチや液晶パネルで構成され、予め指定される値として、充電に使用可能な電流値、即ち需要家の契約電流との関係で考えられた電流値、電圧降下が許容される電圧下限値、許容可能な高調波の大きさ等、時間帯毎の電気料金、需要家の契約電流が入力される。制御部１２４は、受信部１２１、通信部１２２、操作部１２３の各部を制御する。
【００１８】
充電装置１３０ａ，１３０ｂは、電気自動車９２０ａ，９２０ｂに対応して設けられ、電力線からの電力により電気自動車９２０ａ，９２０ｂに設けられた蓄電池部９２１を充電する。この充電は制御装置１２０により制限されることもある。充電装置１３０ａ，１３０ｂは、通信部１３１、制御部１３２、電流調整部１３３を備えている。
【００１９】
通信部１３１は、制御装置１２０の通信部１２２から送信されてくる命令を受信する。制御部１３２は、通信部１３１からの命令に従って、充電電流を減少させるために、適切な電流にするよう電流調整部１３３を制御する。電流調整部１３３は、商用電源９００から供給された電力（交流又は直流、交流の場合には交流を直流に変換する。）を充電用の電流に変換し、電気自動車９２０ａ，９２０ｂの蓄電池部９２１を充電する。充電電流は制御部１３２により制御される。  
次に、上記のように構成される電気自動車充電システムの動作を説明する。以下では、制御装置１２０内の制御部１２４の動作を中心に説明する。図４は、電気自動車充電システムの制御装置１２０内の制御部１２４で実行される充電処理を示すフローチャートである。
【００２０】
まず、測定部１１０で商用電源９００から供給される電流、電圧、高調波の基本波に対する比率等が測定される。測定部１１０で測定された電流が予め設定された電流値内かどうかが調べられる（ステップＳ１１）。測定された電流が予め設定された電流値内でない場合には、測定部１１０から送信される電流値が設定値内になるまで、充電装置１３０に対し電流調整部１３３の出力電流を減少させる命令を送信する（ステップＳ１２）。
【００２１】
次に、測定部１１０で測定された電圧の降下及び高調波の基本波に対する比率が設定値内かどうかが調べられる（ステップＳ１３）。電圧の降下及び高調波の基本波に対する比率が設定値内でない場合には、測定部１１０から送信される電圧値及び高調波の基本波に対する比率が設定値内になるまで充電装置１３０に対し電流調整部１３３の出力電流を減少させる命令を送信する（ステップＳ１４）。
【００２２】
なお、電気料金が安価な時間帯に大電流とし、電気料金が高価な時間帯が小電流となるようにスケジューリングしてそのスケジューリング情報を充電装置１３０に送信し、電気自動車９２０ａ，９２０ｂへの充電を制御しても良い。
【００２３】
このように、第１の実施形態の電気自動車充電システムによれば、測定部１１０で商用電源９００の電流、電圧及び高調波の少なくとも１つを測定し、測定部１１０で測定された商用電源９００の電流、電圧、高調波の少なくとも１つの情報に応じて、制御装置１２０の制御部１２４が蓄電池部９２１への充電を制御するための命令を充電装置１３０に送信するので、電気自動車９２０ａ，９２０ｂの蓄電池部９２１への充電を適正に制御することができる。
【００２４】
（第２の実施形態）
図５は、第２の実施形態に係る電気自動車充電システムの構成を示すブロック図である。図５に示す第２の実施形態の電気自動車充電システム２００は、図１に示す第１の実施形態の電気自動車充電システム１００に対して、さらに、蓄電装置２２０と、制御装置１２０に代えて、制御装置２１０、充電装置１３０ａ、１３０ｂに代えて充電装置２３０ａ、２３０ｂとを備えている。
【００２５】
制御装置２１０は、制御装置１２０の構成に、図６に示すように、通信部２１１が追加されている。通信部２１１は、蓄電装置２２０に対して放電量を指示する命令（コマンド）を送信する。即ち、通信部２１１は、蓄電装置２２０から充電装置２３０ａ，２３０ｂへ電流を供給する命令を送信する。
【００２６】
図７（ａ）は、第２の実施形態に係る電気自動車充電システムの蓄電装置２２０の構成を示すブロック図、図７（ｂ）は、第２の実施形態に係る電気自動車充電システムの充電装置２３０の構成を示すブロック図である。蓄電装置２２０は、負荷９１０ａ、９１０ｂ、充電装置２３０ａ、２３０ｂでの電力使用が少ないときに、交流（ＡＣ）または直流（ＤＣ）にて、商用電源９００から供給される電力にて充電される。蓄電装置２２０は、充電装置２３０ａ，２３０ｂに対して、充電電力を供給するもので、通信部２２１、制御部２２２、電流電圧可変部２２３、蓄電池２２４を備えている。
【００２７】
通信部２２１は、制御装置２１０の通信部２１１から送信される放電量を指示する命令を受信する。制御部２２２は、通信部２２１からの放電量を指示する命令に応じて、電流電圧可変部２２３の電流値、電圧値を制御する。電流電圧可変部２２３は、制御部２２２からの情報に基づき、蓄電池２２４の出力電流、出力電圧を可変する。
【００２８】
充電装置２３０ａ、２３０ｂは電気自動車９２０ａ、９２０ｂに対応して設けられ、図７（ｂ）に示すとおり通信部１３１、制御部１３２、電流調整部１３３、電流変換部２３１を備えている。
【００２９】
電気自動車９２０ａ、９２０ｂに設けられた蓄電池部９２１は電流調整部１３３を介し商用電源９００から供給される電流と、電圧変換部２３１を介し蓄電装置２２０から供給される電流とが加算された電流により充電される。
【００３０】
通信部１３１は、制御装置２１０の通信部１２２から送信される命令を受信する。制御部１３２は、通信部１３１からの命令に従って、商用電源９００から供給される電流を減少させるために、適切な電流にするよう電流調整部１３３を制御する。電流調整部１３３は、商用電源９００から供給された電力（交流又は直流、交流の場合には交流を直流に変換する。）を充電用の電流に変換し出力する。その出力電流は制御部１３２により制御される。  
電流変換部２３１は、蓄電装置２２０から供給される電流を、電気自動車９２０の蓄電池部９２１の充電用の電流に変換して出力する。なお、蓄電装置２２０が交流を出力するものである場合は直流に変換して出力する。
【００３１】
次に、上記のように構成される電気自動車充電システムの動作を説明する。以下では、制御装置２１０内の制御部２１２の動作を中心に説明する。図８は、電気自動車充電システムの制御装置内の制御部で実行される充電処理を示すフローチャートである。
【００３２】
まず、測定部１１０で商用電源９００から供給される電流、電圧、高調波の基本波に対する比率等が測定される。測定部１１０で測定された電流が予め設定された電流値内かどうかが調べられる（ステップＳ２１）。測定された電流が予め設定された電流値内でない場合には、測定部１１０から送信される電流値が設定値内になるまで、充電装置２３０に対し電流調整部１３３の出力電流を減少させる命令、蓄電装置２２０に対し充電装置２３０への電流供給を増加する命令を送信する（ステップＳ２２）。
【００３３】
次に、測定部１１０で測定された電圧の降下及び高調波の基本波に対する比率が設定値内かどうかが調べられる（ステップＳ２３）。電圧の降下及び高調波の基本波に対する比率が設定値内でない場合には、測定部１１０から送信される電圧値及び高調波の基本波に対する比率が設定値内になるまで充電装置２３０に対し電流調整部１３３の出力電流を減少させる命令、蓄電装置２２０に対し充電装置２３０への電流供給を増加する命令を送信する（ステップＳ２４）。
【００３４】
なお、電気料金が安価な時間帯には商用電源９００からの電流を利用して電気自動車９２０ａ，９２０ｂへの充電を制御しても良い。また、電気料金が高価な時間帯には充電電流を減少させる処理と蓄電装置２２０からの電流を多く利用する処理との少なくとも一方を制御することにより、電気自動車９２０ａ，９２０ｂへの充電を制御しても良い。
【００３５】
このように、第２の実施形態の充電システムによれば、蓄電装置２２０からの電流を充電装置２３０ａ，２３０ｂに供給できるので、電圧の降下及び高調波の基本波に対する比率がより小さくなる。
【００３６】
（第３の実施形態）
図９は、第３の実施形態に係る電気自動車充電システムの構成を示すブロック図である。図９に示す第３の実施形態の電気自動車充電システム３００は、図５に示す第２の実施形態の電気自動車充電システム２００に対して、さらに、通信部３２０と、通信部３２０からのデータを受信する制御装置３１０とを備えている。なお、制御装置３１０と実施例２における制御装置２１０の相違点は、通信部３２０とのインターフェース回路を有することと、プログラムのみであり、その他の構成は同様である。従って、制御装置３１０内の各部は制御装置２１０の各部と同符号にて表記するものとする。
【００３７】
通信部３２０は、インターネットとのインタフェースユニットや電力線搬送通信装置又は無線通信装置、商用電源９００の電力使用状況に関する情報、例えば、「電気予報」や個別に需要家に対して送信される「電力削減要求（デマンド）に関する電文」を受信し、これらの情報を制御装置３１０に送信する。
【００３８】
次に、上記のように構成される電気自動車充電システムの動作を説明する。以下では、制御装置３１０内の制御部２１２の動作を中心に説明する。図１０は、電気自動車充電システムの制御装置内の制御部で実行される充電処理を示すフローチャートである。
【００３９】
まず、通信部３２０を介して電力を削減すべき情報（デマンド）、電気予報を受信したかどうかが調べられる（ステップＳ３１）。電力を削減すべき情報（デマンド）、電気予報を受信した場合には、充電装置２３０に対し電流調整部１３３の出力電流を減少させる命令、蓄電装置２２０に対し充電装置２３０への電流供給を増加する命令を送信する（ステップＳ３２）。
【００４０】
このように、第３の実施形態の充電システムによれば、外部から通信部３２０を送られてきた電力を削減すべき情報に応じて、制御装置３１０の制御部２１２が蓄電池部９２１への充電を制御するための命令を充電装置１３０に送信、及び蓄電装置２２０から充電装置１３０への電流供給を増加する命令を蓄電装置２２０に送信するので、電気自動車９２０ａ，９２０ｂの蓄電池部９２１への充電を適正に制御することができる。
【００４１】
（第４の実施形態）
図１１は、第４の実施形態に係る電気自動車充電システムの構成を示すブロック図である。図１１に示す第４の実施形態の電気自動車充電システム４００は、図９に示す第３の実施形態の電気自動車充電システム３００に対して、測定部４１０と、蓄電装置４２０、制御装置４３０が異なる。なお、制御装置４３０と実施例２における制御装置２１０の相違点は、通信部３２０とのインターフェース回路を有することと、プログラムのみであり、その他の構成は同様である。従って、制御装置４３０内の各部は制御装置２１０の各部と同符号にて表記するものとする。また、充電装置２３０ａ、２３０ｂに代えて、実施例１と同様、充電装置１３０ａ、１３０ｂが設けられている。
【００４２】
測定部４１０は、需要家の負荷９１０ａ，９１０ｂの電力、及び充電装置１３０ａ，１３０ｂへの電力を測定して、測定されたデータを制御装置４３０に送信する。蓄電装置４２０は、インバータを搭載し、直流を交流に変換してその出力を充電装置１３０ａ，１３０ｂ及び負荷９１０ａ，９１０ｂに供給する。
【００４３】
次に、上記のように構成される電気自動車充電システムの動作を説明する。以下では、制御装置４３０内の制御部の動作を中心に説明する。図１２は、電気自動車充電システムの制御装置４３０内の制御部で実行される充電処理を示すフローチャートである。
【００４４】
まず、測定部４１０で商用電源９００から供給される電流、電圧、高調波の基本波に対する比率等が測定される。測定部４１０で測定された電流が予め設定された電流値内かどうかが調べられる（ステップＳ４１）。測定された電流が予め設定された電流値内でない場合には、測定部４１０から送信される電流値が契約電流以下になるまで、蓄電装置４２０に対し出力電流を増加させる命令を送信する。それでもなお、設定された電流地以内にならない場合は、充電装置１３０に対し電流調整部１３３の出力電流を減少させる命令を送信する（ステップＳ４２）。
【００４５】
次に、測定部４１０で測定された電圧の降下及び高調波の基本波に対する比率が設定値内かどうかが調べられる（ステップＳ４３）。電圧の降下及び高調波の基本波に対する比率が設定値内でない場合には、蓄電装置４２０に対し出力電圧を増加させる命令を送信する。それでもなお、設定された電圧値以内にならない場合は、充電装置１３０に対し電流調整部１３３の出力電流を減少させる命令を送信する（ステップＳ４４）。
【００４６】
なお、商用電源９００の電気料金が高価な時間帯では、蓄電装置４２０の出力電流を増加させるように制御することにより、電気自動車９２０ａ，９２０ｂへの充電を制御しても良い。
【００４７】
このように、第４の実施形態の電気自動車充電システムによれば、需要家の負荷９１０ａ，９１０ｂの電力をも考慮して電力を測定し、測定された電力に応じて、蓄電装置４２０の出力を充電装置１３０ａ，１３０ｂ及び負荷９１０ａ，９１０ｂにも供給することができる。
【００４８】
（第５の実施形態）
図１３は、第５の実施形態に係る電気自動車充電システムの構成を示すブロック図である。図１３に示す第５の実施形態の電気自動車充電システム５００は、図１１に示す第４の実施形態の電気自動車充電システム４００に対して、太陽光発電装置５２０、風力発電装置５３０を備えている。なお、太陽光発電装置５２０と風力発電装置５３０との一方のみを用いても良い。
【００４９】
太陽光発電装置５２０は、メガソーラーとも呼ばれ、光電変換により電力を発生して電力線に出力する。風力発電装置５３０は、風力を電気に変換することにより電力を発生して電力線に出力する。制御装置５１０は、充電装置３１０ａ，３１０ｂに電力を供給するように太陽光発電装置５２０と風力発電装置５３０とに対して命令を送信する。
【００５０】
次に、上記のように構成される電気自動車充電システムの動作を説明する。以下では、制御装置５１０内の制御部の動作を中心に説明する。図１４は、電気自動車充電システムの制御装置内の制御部で実行される充電処理を示すフローチャートである。
【００５１】
まず、太陽光発電装置５２０、風力発電装置５３０の電力を優先して使用するように、電力発電時間帯スケジュールを作成する（ステップＳ５１）。この場合には、制御装置５１０は、太陽光発電装置５２０、風力発電装置５３０を電力発電時間帯スケジュールに従って制御する。
【００５２】
次に、測定部４１０で測定された商用電源９００からの電流が需要家の契約電流を超えたかどうかが調べられる（ステップＳ５２）。商用電源９００からの電流が需要家の契約電流を超えた場合には、蓄電装置４２０の出力電流を増加し、それでも電流が不足である場合には、充電装置１３０の充電電流を減少させるように制御する（ステップＳ５３）。
【００５３】
このように、第５の実施形態の電気自動車充電システムによれば、太陽光発電装置５２０、風力発電装置５３０の電力を優先して使用できる。
【００５４】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１００，２００，３００，４００，５００  充電システム
１１０，４１０  測定部
１２０，２１０，３１０，５１０  制御装置
１２１  受信部
１２２，１３１，２１１，２２１，３２０  通信部
１２３  操作部
１２４，１３２，２２２  制御部
１３０ａ，１３０ｂ  充電装置
１３３  電流調整部
２２０，４２０  蓄電装置
２２３  電流電圧可変部
２２４  蓄電池
５２０  太陽光発電装置
５３０  風力発電装置
９００  商用電源
９１０ａ，９１０ｂ  負荷
９２０ａ，９２０ｂ  電気自動車
９２１  蓄電池部
【図１】
2013048519.tif 000003
【図２】
2013048519.tif 000004
【図３】
2013048519.tif 000005
【図４】
2013048519.tif 000006
【図５】
2013048519.tif 000007
【図６】
2013048519.tif 000008
【図７】
2013048519.tif 000009
【図８】
2013048519.tif 000010
【図９】
2013048519.tif 000011
【図１０】
2013048519.tif 000012
【図１１】
2013048519.tif 000013
【図１２】
2013048519.tif 000014
【図１３】
2013048519.tif 000015
【図１４】
2013048519.tif 000016